(57)【特許請求の範囲】
【請求項１】
一の方法で画像情報を外部に出力するための一方法フォーマットを用いて記録された前記画像情報である一方法画像情報と、前記一の方法とは異なる他の方法で前記画像情報を外部に出力するための他方法フォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置であって、
外部に出力されるべき前記一方を選択するための選択手段と、
前記記録されている関連情報に基づいて、前記選択された一方に関連付けられる前記一方法画像情報又は前記他方法画像情報のいずれか他方を前記記録媒体から検出する検出手段と、
前記検出された他方を、当該他方に対応する出力方法により外部に出力する出力手段と、
を備えることを特徴とする情報再生装置。
【請求項２】
静止画像情報に対応する静止画像をテレビジョン装置において表示する出力方法で前記画像情報を外部に出力するためのフォーマットを用いて記録された前記画像情報である一方法画像情報と、前記画像情報に対応する静止画像を印刷出力させるための出力方法で前記画像情報を外部に出力するためのフォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置であって、
前記検出された他方を、当該他方に対応する出力方法により外部に出力する出力手段と、
を備え、
前記テレビジョン装置に表示されている前記一方法画像情報に対応する静止画像のいずれかを選択するための選択手段と、
前記記録されている関連情報に基づいて、前記選択された静止画像に関連付けられる前記他方法画像情報に対応する静止画像を前記記録媒体から検出する検出手段と、
前記検出された静止画像を印刷出力させるために外部に出力する出力手段と、
を備えることを特徴とする情報再生装置。
【請求項３】
一の方法で画像情報を外部に出力するための一方法フォーマットを用いて記録された前記画像情報である一方法画像情報と、前記一の方法とは異なる他の方法で前記画像情報を外部に出力するための他方法フォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生方法であって、
外部に出力されるべき前記一方を選択する選択工程と、
前記記録されている関連情報に基づいて、前記選択された一方に関連付けられる前記一方法画像情報又は前記他方法画像情報のいずれか他方を前記記録媒体から検出する検出工程と、
前記検出された他方を、当該他方に対応する出力方法により外部に出力する出力工程と、
を備えることを特徴とする情報再生方法。
【請求項４】
静止画像情報に対応する静止画像をテレビジョン装置において表示する出力方法で前記画像情報を外部に出力するためのフォーマットを用いて記録された前記画像情報である一方法画像情報と、前記画像情報に対応する静止画像を印刷出力させるための出力方法で前記画像情報を外部に出力するためのフォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生方法であって、
前記テレビジョン装置に表示されている前記一方法画像情報に対応する静止画像のいずれかを選択するための選択工程と、
前記記録されている関連情報に基づいて、前記選択された静止画像に関連付けられる前記他方法画像情報に対応する静止画像を前記記録媒体から検出する検出工程と、
前記検出された静止画像を印刷出力させるために外部に出力する出力工程と、
を備えることを特徴とする情報再生装置。
【請求項５】
一の方法で画像情報を外部に出力するための一方法フォーマットを用いて記録された前記画像情報である一方法画像情報と、前記一の方法とは異なる他の方法で前記画像情報を外部に出力するための他方法フォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置であって、外部に出力されるべき前記一方を選択するための選択手段を含む再生コンピュータを、
前記記録されている関連情報に基づいて、前記選択された一方に関連付けられる前記一方法画像情報又は前記他方法画像情報のいずれか他方を前記記録媒体から検出する検出手段、及び、
前記検出された他方を、当該他方に対応する出力方法により外部に出力する出力手段、
として機能させることを特徴とする再生制御プログラム。
【請求項６】
静止画像情報に対応する静止画像をテレビジョン装置において表示する出力方法で前記画像情報を外部に出力するためのフォーマットを用いて記録された前記画像情報である一方法画像情報と、前記画像情報に対応する静止画像を印刷出力させるための出力方法で前記画像情報を外部に出力するためのフォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置を含む再生コンピュータを、
前記テレビジョン装置に表示されている前記一方法画像情報に対応する静止画像のいずれかを選択するための選択手段、
前記記録されている関連情報に基づいて、前記選択された静止画像に関連付けられる前記他方法画像情報に対応する静止画像を前記記録媒体から検出する検出手段、
前記検出された静止画像を印刷出力させるために外部に出力する出力手段、
として機能させることを特徴とする再生制御プログラム。
【請求項７】
請求項５又は６に記載の再生制御プログラムが前記再生コンピュータで読取可能に記録されていることを特徴とする情報記録媒体。
【発明の詳細な説明】
【０００１】
【発明の属する技術分野】
本発明は、情報記録装置及び情報記録方法、情報再生装置及び情報再生方法、記録制御プログラム及び再生制御プログラム並びに情報記録媒体及び記録媒体の技術分野に属し、より詳細には、画像情報を外部に出力する目的で記録媒体に記録する情報記録装置及び情報記録方法並びに当該記録処理のための記録制御プログラム、当該記録されている画像情報を記録媒体から再生して外部に出力するための情報再生装置及び情報再生方法並びに当該再生処理のための再生制御プログラム、当該画像情報が記録されている記録媒体並びに上記記録制御プログラム及び再生制御プログラムが記録された情報記録媒体の技術分野に属する。
【０００２】
【従来の技術】
近年、従来のＣＤ（Compact  Disc）に対して数倍の記録容量を有することで一本の映画等に対応する動画像及び音声が記録可能とされた光ディスクとして、いわゆるＤＶＤ（Digital  Versatile  Disc）が広く普及しつつあるが、このＤＶＤには、再生専用のＤＶＤと記録可能なＤＶＤとがある。
【０００３】
そして、当該記録可能なＤＶＤとして具体的には、ＤＶＤ−Ｒ（DVD-Recordable）及びＤＶＤ−ＲＷ（DVD-Re-Recordable）並びにＤＶＤ−ＲＡＭ（DVD-Random  Access  Memory）に関する規格の策定等が実行されつつあるところである。
【０００４】
ここで、上記記録可能なＤＶＤに関する現行の規格によれば、当該ＤＶＤには、映画等の動画像の他にいわゆるデジタルスチルカメラで撮影した静止画像を記録することも可能とされている。このとき、当該静止画像及び上記映画等の動画像は、共にいわゆるＭＰＥＧ規格に則って記録されることが規格化されている。
【０００５】
【発明が解決しようとする課題】
しかしながら、上述した従来の記録可能なＤＶＤの規格によると、静止画像についても動画像と同様に上記ＭＰＥＧ規格に則ってＤＶＤに記録すべきとされているが、一方で、当該ＭＰＥＧ規格は基本的には動画像を圧縮記録するための規格であるので、静止画像を圧縮して記録するには不向きな場合があり、結果として、ＭＰＥＧ規格に則って静止画像をＤＶＤに記録すると、ＭＰＥＧ規格以外の静止画像専用の規格に則って記録した場合に比してその画質が劣ってしまうこととなる。
【０００６】
そして、このことにより、例えばテレビジョン装置への出力用としてＭＰＥＧ規格に則ってＤＶＤに記録されている静止画像を印刷出力等する場合に、その印刷出力等に堪え得るだけの画質をもって当該ＤＶＤに静止画像を記録することができないという問題点があった。
【０００７】
そこで、本発明は上記の問題点に鑑みて為されたもので、その課題は、テレビジョン装置への表示出力と印刷出力の如く、異なる方法により同じ内容の画像情報を外部に出力することを可能とすることで、結果として当該画像情報の取り扱いにおける汎用性を向上させることが可能な情報記録装置及び情報記録方法並びに当該記録処理のための記録制御プログラム、当該記録されている画像情報をＤＶＤから再生して外部に出力するための情報再生装置及び情報再生方法並びに当該再生処理のための再生制御プログラム、当該画像情報が記録されているＤＶＤ並びに上記記録制御プログラム及び再生制御プログラムが記録された情報記録媒体を提供することにある。
【０００８】
【課題を解決するための手段】
上記の課題を解決するために、請求項１に記載の発明は、一の方法で画像情報を外部に出力するための一方法フォーマットを用いて記録された前記画像情報である一方法画像情報と、前記一の方法とは異なる他の方法で前記画像情報を外部に出力するための他方法フォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置であって、外部に出力されるべき前記一方を選択するための選択手段と、前記記録されている関連情報に基づいて、前記選択された一方に関連付けられる前記一方法画像情報又は前記他方法画像情報のいずれか他方を前記記録媒体から検出する検出手段と、前記検出された他方を、当該他方に対応する出力方法により外部に出力する出力手段と、を備える。
【０００９】
よって、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。更に、選択された一方法画像情報又は他方法画像情報のいずれか一方に対応するいずれか他方が関連情報に基づいて検出されて外部に出力されるので、例えば一方法画像情報に対応する画像を外部に出力中に当該出力中である画像に対応する他方法画像情報を外部に出力する場合等において、必要な他方法画像情報を迅速に検出して外部に出力することができる。
【００１０】
上記の課題を解決するために、請求項２に記載の発明は、静止画像情報に対応する静止画像をテレビジョン装置において表示する出力方法で前記画像情報を外部に出力するためのフォーマットを用いて記録された前記画像情報である一方法画像情報と、前記画像情報に対応する静止画像を印刷出力させるための出力方法で前記画像情報を外部に出力するためのフォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置であって、前記テレビジョン装置に表示されている前記一方法画像情報に対応する静止画像のいずれかを選択するための選択手段と、前記記録されている関連情報に基づいて、前記選択された静止画像に関連付けられる前記他方法画像情報に対応する静止画像を前記記録媒体から検出する検出手段と、前記検出された静止画像を印刷出力させるために外部に出力する出力手段と、を備える。
【００１１】
よって、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。更に、一方法画像情報がテレビジョン装置における表示用のフォーマットを用いて記録されると共に同じ内容の静止画像に対応する他方法画像情報が印刷出力用のフォーマットを用いて記録されるので、同じ内容の静止画像をテレビジョン装置において表示することと印刷出力することとを一の記録媒体を用いて両立させることができる。加えて、テレビジョン装置に表示されている静止画像のうち選択されたものに対応する他方法画像情報を関連情報に基づいて検出して出力するので、テレビジョン装置において表示中の静止画像を別途印刷出力することができる。
【００１２】
上記の課題を解決するために、請求項３に記載の発明は、一の方法で画像情報を外部に出力するための一方法フォーマットを用いて記録された前記画像情報である一方法画像情報と、前記一の方法とは異なる他の方法で前記画像情報を外部に出力するための他方法フォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生方法であって、外部に出力されるべき前記一方を選択する選択工程と、前記記録されている関連情報に基づいて、前記選択された一方に関連付けられる前記一方法画像情報又は前記他方法画像情報のいずれか他方を前記記録媒体から検出する検出工程と、前記検出された他方を、当該他方に対応する出力方法により外部に出力する出力工程と、を備える。
【００１３】
よって、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。さらに、選択された一方法画像情報又は他方法画像情報のいずれか一方に対応するいずれか他方が関連情報に基づいて検出されて外部に出力されるので、例えば一方法画像情報に対応する画像を外部に出力中に当該出力中である画像に対応する他方法画像情報を外部に出力する場合等において、必要な他方法画像情報を迅速に検出して外部に出力することができる。
【００１４】
上記の課題を解決するために、請求項４に記載の発明は、静止画像情報に対応する静止画像をテレビジョン装置において表示する出力方法で前記画像情報を外部に出力するためのフォーマットを用いて記録された前記画像情報である一方法画像情報と、前記画像情報に対応する静止画像を印刷出力させるための出力方法で前記画像情報を外部に出力するためのフォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生方法であって、前記テレビジョン装置に表示されている前記一方法画像情報に対応する静止画像のいずれかを選択するための選択工程と、前記記録されている関連情報に基づいて、前記選択された静止画像に関連付けられる前記他方法画像情報に対応する静止画像を前記記録媒体から検出する検出工程と、前記検出された静止画像を印刷出力させるために外部に出力する出力工程と、を備える。
【００１５】
よって、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。さらに、一方法画像情報がテレビジョン装置における表示用のフォーマットを用いて記録されると共に同じ内容の静止画像に対応する他方法画像情報が印刷出力用のフォーマットを用いて記録されるので、同じ内容の静止画像をテレビジョン装置において表示することと印刷出力することとを一の記録媒体を用いて両立させることができる。加えて、テレビジョン装置に表示されている静止画像のうち選択されたものに対応する他方法画像情報を関連情報に基づいて検出して出力するので、テレビジョン装置において表示中の静止画像を別途印刷出力することができる。
【００１６】
上記の課題を解決するために、請求項５に記載の発明は、一の方法で画像情報を外部に出力するための一方法フォーマットを用いて記録された前記画像情報である一方法画像情報と、前記一の方法とは異なる他の方法で前記画像情報を外部に出力するための他方法フォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置であって、外部に出力されるべき前記一方を選択するための選択手段を含む再生コンピュータを、前記記録されている関連情報に基づいて、前記選択された一方に関連付けられる前記一方法画像情報又は前記他方法画像情報のいずれか他方を前記記録媒体から検出する検出手段、及び、前記検出された他方を、当該他方に対応する出力方法により外部に出力する出力手段、として機能させる。
【００１７】
よって、一方法フォーマット及び他方法フォーマットの双方を用いて夫々に画像情報が
記録されるように記録コンピュータが機能するので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるように記録コンピュータが機能するので、例えば一方法画像情報に対応する画像を外部に出力中に当該出力中である画像に対応する他方法画像情報を外部に出力する場合等において、必要な他方法画像情報を迅速に検出することができる。さらに、選択された一方法画像情報又は他方法画像情報のいずれか一方に対応するいずれか他方が関連情報に基づいて検出されて外部に出力されるように再生コンピュータが機能するので、例えば一方法画像情報に対応する画像を外部に出力中に当該出力中である画像に対応する他方法画像情報を外部に出力する場合等において、必要な他方法画像情報を迅速に検出して外部に出力することができる。
【００１８】
上記の課題を解決するために、請求項６に記載の発明は、静止画像情報に対応する静止画像をテレビジョン装置において表示する出力方法で前記画像情報を外部に出力するためのフォーマットを用いて記録された前記画像情報である一方法画像情報と、前記画像情報に対応する静止画像を印刷出力させるための出力方法で前記画像情報を外部に出力するためのフォーマットを用いて記録された前記画像情報である他方法画像情報と、前記一方法画像情報と前記他方法画像情報とを相互に関連付けるための関連情報と、が記録されている前記記録媒体から当該一方法画像情報又は当該他方法画像情報のいずれか一方を外部に出力する情報再生装置を含む再生コンピュータを、前記テレビジョン装置に表示されている前記一方法画像情報に対応する静止画像のいずれかを選択するための選択手段、前記記録されている関連情報に基づいて、前記選択された静止画像に関連付けられる前記他方法画像情報に対応する静止画像を前記記録媒体から検出する検出手段、前記検出された静止画像を印刷出力させるために外部に出力する出力手段、として機能させる。
【００１９】
よって、一方法フォーマット及び他方法フォーマットの双方を用いて夫々に画像情報が記録されるように記録コンピュータが機能するので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるように記録コンピュータが機能するので、例えば一方法画像情報に対応する画像を外部に出力中に当該出力中である画像に対応する他方法画像情報を外部に出力する場合等において、必要な他方法画像情報を迅速に検出することができる。さらに、一方法画像情報がテレビジョン装置における表示用のフォーマットを用いて記録されると共に同じ内容の静止画像に対応する他方法画像情報が印刷出力用のフォーマットを用いて記録されるように記録コンピュータが機能するので、同じ内容の静止画像をテレビジョン装置において表示することと印刷出力することとを一の記録媒体を用いて両立させることができる。加えて、テレビジョン装置に表示されている静止画像のうち選択されたものに対応する他方法画像情報を関連情報に基づいて検出して出力するように再生コンピュータが機能するので、テレビジョン装置において表示中の静止画像を別途印刷出力することができる。
【００２０】
上記の課題を解決するために、請求項７に記載の発明は、請求項５又は６に記載の再生制御プログラムが前記再生コンピュータで読取可能に記録されている。
【００２１】
よって、請求項５に記載の再生制御プログラムが記録されている場合には、その再生制御プログラムを読み出して再生コンピュータにより実行することにより、選択された一方法画像情報又は他方法画像情報のいずれか一方に対応するいずれか他方が関連情報に基づいて検出されて外部に出力されるように当該再生コンピュータが機能するので、例えば一方法画像情報に対応する画像を外部に出力中に当該出力中である画像に対応する他方法画像情報を外部に出力する場合等において、必要な他方法画像情報を迅速に検出して外部に出力することができる。
【００２２】
また、請求項６に記載の再生制御プログラムが記録されている場合には、その再生制御プログラムを読み出して再生コンピュータにより実行することにより、テレビジョン装置に表示されている静止画像のうち選択されたものに対応する他方法画像情報を関連情報に基づいて検出して出力するように当該再生コンピュータが機能するので、テレビジョン装置において表示中の静止画像を別途印刷出力することができる。
【００６９】
【発明の実施の形態】
次に、本発明に好適な実施の形態について、図面に基づいて説明する。
【００７０】
なお、以下に説明する実施の形態は、記録された静止画像をテレビジョン装置用として出力することが可能であると共に、同じ静止画像を印刷用としても出力することが可能となるように当該静止画像をＤＶＤ（記録可能なＤＶＤ）に記録する情報記録再生装置に対して本発明を適用した場合の実施の形態である。
【００７１】
また、以下に説明するＤＶＤには、上記した静止画像の他に上記テレビジョン装置において表示されるべき動画像も記録することが可能とされているものとする。
【００７２】
（Ｉ）記録フォーマットの実施形態
始めに、情報記録再生装置の実施の形態について具体的に説明する前に、当該情報記録再生装置により上記静止画像をＤＶＤに記録する際に用いられる記録フォーマット（以下、単に記録フォーマットと称する）について、その概要を図１乃至図４を用いて説明する。
【００７３】
なお、図１は当該記録フォーマットを示す図であり、図２乃至図４は当該記録フォーマットにおける実施形態に係るテキスト情報の構成を例示する図である。
【００７４】
図１に示すように、実施形態の記録フォーマットに則って静止画像等（上記静止画像及び動画像の双方を含む）が記録された後のＤＶＤ１には、その最内周部にリードインエリアＬＩが形成されていると共にその最外周部にリードアウトエリアＬＯが形成されており、その間に、上記静止画像等が記録されたデータエリアＤＡが形成されている。
【００７５】
このとき、上記リードインエリアＬＩには、データエリアＤＡに記録されている静止画像等の再生処理を開始する際に検出すべき制御情報が記録されており、一方、上記リードアウトＬＯには、当該静止画像等の再生処理を終了する際に検出すべき制御情報が記録されている。
【００７６】
次に、上記データエリアＤＡには、上記ＭＰＥＧ規格に則ることにより後述するテレビジョン装置により表示することが可能となるように静止画像等が記録されているビデオゾーンＶＺと、いわゆるＪＰＥＧ規格に則ることにより後述するプリンタにより印刷出力することが可能となるように静止画像が記録されている静止画像ゾーンＪＺと、が形成されている。
【００７７】
このとき、上記静止画像ゾーンＪＺは、ＪＰＥＧ規格に則った複数の静止画像（以下、ＪＰＥＧ規格に則った静止画像を単にＪＰＥＧ画像と称する）を夫々に含んで構成されている複数の静止画像群５０−１、５０−２、…、５０−ｍにより構成されており、更に、各静止画像群５０は、上記複数のＪＰＥＧ画像５１−１、５１−２、…、５１−ｌにより構成されている。
【００７８】
一方、ビデオゾーンＶＺ内には、後述するビデオマネージャ１０を先頭として、上記ＭＰＥＧ規格に則った静止画像（以下、ＭＰＥＧ規格に則った静止画像を単にＭＰＥＧ静止画像と称する）等が、夫々にＩＤ（識別）番号を有するｎ個のＶＴＳ（Video  Title  Set）１１−１、１１−２…１１−ｎに分割されて記録されている。
【００７９】
ここで、ＶＴＳとは、関連する（すなわち、それに含まれる静止画像及び動画像の数や、仕様、対応言語等の属性が同じ）タイトル（映画等の製作者又は静止画像の撮影者等が視聴者に提示しようとする一つの作品）を一まとめにしたセット（纏まり）であり、より具体的には、例えば、一本の同じ映画について、劇場版と特別版とが夫々別のタイトルとして記録されていたりするものである。
【００８０】
そして、一のＶＴＳ１１は、ＭＰＥＧ規格に則った一つの静止画像に夫々相当するｘ個のオブジェクト２０−１、２０−２、…、２０−ｘにより構成されている。なお、近年策定されつつある記録可能なＤＶＤ１に対応する記録フォーマットの規格においては、一のオブジェクト内が更に複数のセルと称される情報単位に区分されることとされているが、以下に説明する実施形態においては、一のＭＰＥＧ静止画像が一のセルに相当し、更に一のセルのみにより一のオブジェクト２０が構成されている（換言すれば、一のオブジェクト２０内には一のＭＰＥＧ静止画像のみが含まれている）ものとして説明する。
【００８１】
また、後述するテキスト情報の階層構造においては、複数のオブジェクト２０により一の上記タイトルを構成するものとして説明する。すなわち、当該階層構造においては、相互に関連性を有する（具体的には例えば同じ日に撮影された）オブジェクト２０（＝一のＭＰＥＧ静止画像）を複数含んで一のタイトルが構成されているものとする。
【００８２】
次に、上記ビデオマネージャ１０は、ビデオゾーンＶＺ内に記録されているすべての静止画像等に係る一般情報としてのＶＭＧＩ（Video  Maneger  Information）１５と、ビデオマネージャ１０としてのその他の情報である他情報１６と、により構成されている。
【００８３】
このとき、当該ＶＭＧＩ１５には、各タイトルの名前を示すメニュー情報や、違法コピー防止のための情報、又は夫々のタイトルにアクセスするためのアクセステーブル等、当該ＤＶＤ１に記録される画像情報及び音声情報の全体に係わる情報が含まれている。
【００８４】
これに加えて、当該ＶＭＧＩ１５内には、実施形態に係るテキスト（文字）情報であって、上記したオブジェクト２０としてビデオゾーンＶＺに含まれているＭＰＥＧ静止画像と静止画像ゾーンＪＺに含まれているＪＰＥＧ画像５１との対応関係、すなわち、一のＭＰＥＧ静止画像と画像としての同じ内容を有する一のＪＰＥＧ画像５１の名称等を示すテキスト情報が含まれている。そしてこのとき、当該テキスト情報は、他のＭＰＥＧ静止画像等と共に上記ビデオゾーンＶＺ内に記録される一般のテキスト情報が備えるべき階層構造をもって含まれている。また、当該テキスト情報としては、相互に同様の内容を有して異なる言語に夫々対応したテキスト情報が記録されている。なお、一の言語に対応するテキスト情報の纏まりを、以下、言語ユニットと称する。
【００８５】
次に、上記ＶＭＧＩ１５は、上記したメニュー情報、違法コピー防止のための情報及びアクセステーブル等のＶＭＧＩ１５に含まれるべき他の情報である他情報２５と、上述した実施形態に係るテキスト情報本体を含むテキストデータマネージャ２６と、により構成されている。
【００８６】
そして、テキストデータマネージャ２６は、テキストマネージャ情報３０と、複数の（図１においてはｙ個の）言語ユニットサーチポインタ３１−１乃至３１−ｙと、言語ユニットサーチポインタ３１と同数の言語ユニット３２−１乃至３２−ｙと、により構成されている。
【００８７】
このとき、テキストマネージャ情報３０には、当該テキスト情報を他の情報から識別するための識別情報及び後続する言語ユニットの数を示す情報等が含まれている。
【００８８】
また、各言語ユニットサーチポインタ３１には、対応する番号を有する言語ユニット３２に含まれているテキスト情報の言語属性（すなわち、何語の言語で記述されているかを示す言語属性）を示す言語コード及び当該対応する番号を有する言語ユニット３２が記録されているＤＶＤ１上の記録位置を示すアドレス情報等が含まれている。なお、言語ユニットサーチポインタ３１に含まれるアドレス情報は、上記テキストデータマネージャ２６の先頭位置を起算点として記述されている。
【００８９】
次に、各言語ユニット３２には、言語ユニット情報３５と、ボリュームテキストサーチポインタサーチポインタ３６と、複数の（図１においてはｚ個の）テキストサーチポインタサーチポインタ３７−１乃至３７−ｚと、テキストデータＴＤと、により構成されている。
【００９０】
このとき、言語ユニット情報３５には、それが属する言語ユニット３２のＤＶＤ１上の最終記録位置を示すアドレス情報が含まれている。なお、当該最終記録位置を示すアドレス情報は、対応する各言語ユニット３２の先頭位置を起算点として記述されている。
【００９１】
また、ボリュームテキストサーチポインタサーチポインタ３６には、各タイトルに対応するテキスト情報を複数個纏めたテキスト情報の単位としてのボリュームのＤＶＤ１上の記録位置を示すアドレス情報が記述されているＤＶＤ１上の記録位置を示すアドレス情報が含まれている。なお、当該ボリュームテキストサーチポインタサーチポインタ３６としてのアドレス情報は、対応する各言語ユニット３２の先頭位置を起算点として記述されている。
【００９２】
更に、各テキストサーチポインタサーチポインタ３７には、上記各タイトル毎に対応するテキスト情報のＤＶＤ１上の記録位置を示すアドレス情報が記述されているＤＶＤ１上の記録位置を示すアドレス情報（すなわち、後述する各テキストサーチポインタＴＳＰのＤＶＤ１上の記録位置を示すアドレス情報）が含まれている。なお、当該テキストサーチポインタサーチポインタ３６としてのアドレス情報は、対応する各言語ユニット３２の先頭位置を起算点として記述されている。
【００９３】
次に、テキストデータＴＤには、以下に説明するように実施形態としてのテキスト情報の本体が含まれている。
【００９４】
すなわち、テキストデータＴＤは、テキストデータ情報４０と、複数の（図１においてはｗ個の）テキストサーチポインタＴＳＰ−１乃至ＴＳＰ−ｗと、個別テキストデータＩＴＤと、により構成されている。
【００９５】
このとき、テキストデータ情報４０には、後続するテキストデータサーチポインタＴＳＰの数を示す情報等が含まれている。
【００９６】
また、各テキストサーチポインタＴＳＰには、個別テキストデータＩＴＤ内に含まれている対応する各テキスト情報（すなわち、各ＭＰＥＧ静止画像に対応するテキスト情報）の属性を識別するための識別コード４１−１乃至４１−ｗと、各タイトルに対応する当該テキスト情報が夫々に記録されているＤＶＤ１上の記録位置を示すアドレス情報であるスタートアドレス４２−１乃至４２−ｗと、が夫々に含まれている。なお、当該各スタートアドレス４２としてのアドレス情報は、それが含まれているテキストデータＴＤの先頭位置を起算点として記述されている。
【００９７】
最後に、個別テキストデータＴＤ内には、各タイトル内に含まれているＭＰＥＧ静止画像を示す種々のテキスト情報が、上記各識別コード４１により示される属性を夫々に有して含まれている。なお、当該個別テキストデータＴＤ内に含まれているテキスト情報は、検索の便に資するべく以下に説明するような階層構造を為して記録されている。
【００９８】
次に、テキストデータＴＤ内に含まれているテキスト情報が有している上記階層構造について、図２乃至図４を用いて説明する。なお、図２は各識別コード４１が有する意味内容を説明する図であり、図３及び図４は上記識別コード４１により示されるテキスト情報の階層構造を具体的に例示する図である。
【００９９】
また、図２乃至図４は、同日に撮影された１０枚のＪＰＥＧ画像５１に相当するＭＰＥＧ静止画像が夫々に一のオブジェクト２０（すなわち一のセル）を構成しつつ第１タイトルを構成してＤＶＤ１に記録されており、更に、他の日に撮影された７枚のＪＰＥＧ画像５１に相当するＭＰＥＧ静止画像が同様に夫々に一のオブジェクト２０を構成しつつ第２タイトルを構成してＤＶＤ１に記録されている場合を例として、当該各ＭＰＥＧ静止画像とそれに対応する（すなわち、画像として同じ内容を有する）ＪＰＥＧ画像５１との関係を示すテキスト情報の階層構造を説明するものである。なお、このとき、第１タイトルを構成する１０枚のＭＰＥＧ静止画像に夫々対応する１０枚のＪＰＥＧ画像５１は第１静止画像群５０−１を構成して夫々ＤＶＤ１に記録されており、一方、第２タイトルを構成する７枚のＭＰＥＧ静止画像に夫々対応する７枚のＪＰＥＧ画像５１は第２静止画群５０−２を構成して夫々ＤＶＤ１に記録されているものとする。このとき、上記第１静止画像群５０−１が１０枚のＭＰＥＧ静止画像を含む第１タイトルに相当するのであり、一方、上記第２静止画像群５０−２が７枚のＭＰＥＧ静止画像を含む第２タイトルに相当するのである。
【０１００】
図２乃至図４に示すように、実施形態のテキスト情報は、各識別コード４１により示される属性を有する個別テキストが、個別テキストデータＩＴＤが記録されているＤＶＤ１の領域内の記録位置であって当該識別コード４１が含まれているテキストサーチポインタＴＳＰ内に当該識別コード４１と共に含まれているスタートアドレス４２により示される記録位置に記録されている構成となっている。
【０１０１】
このとき、識別コード４１には、それに対応する個別テキストを有さず、単にテキスト情報全体における階層構造のみを示しているものと、対応する具体的な個別テキストを有し、その個別テキストの具体的な属性を示すものと、がある。そして、この対応する個別テキストを有さない識別コード４１については、それが含まれているサーチポインタＴＳＰ内のスタートアドレス４２は全て「０」とされている。
【０１０２】
すなわち、先ず識別コード４１の種類について説明すると、図３及び図４に示す例の場合は、図２に示すように、その値が「０１ｈ」である識別コード４１と、その値が「０２ｈ」である識別コード４１と、その値が「０４ｈ」である識別コード４１と、その値が「０５ｈ」である識別コード４１と、その値が「３０ｈ」である識別コード４１と、その値が「ＥＦｈ」である識別コード４１と、が含まれている。
【０１０３】
そして、このうちの値「０１ｈ」を有する識別コード４１は、その値「０１ｈ」を有する識別コード４１以後、次の「０１ｈ」の値を有する識別コード４１までの階層にある各識別コード４１が、上記ボリュームに含まれている各ＭＰＥＧ静止画像に対応する各テキスト情報の属性を記述していることを示すものであり、対応する個別テキストを有さない識別コード４１である。
【０１０４】
次に、値「０２ｈ」を有する識別コード４１は、その値「０２ｈ」を有する識別コード４１以後、次の「０２ｈ」の値を有する識別コード４１までの階層にある各識別コード４１が、各タイトルに含まれている各ＭＰＥＧ静止画像に対応するテキスト情報の属性を記述していることを示すものであり、対応する個別テキストを有さない識別コード４１である。
【０１０５】
また、値「０４ｈ」を有する識別コード４１は、その値「０４ｈ」を有する識別コード４１以後、次の「０４ｈ」の値を有する識別コード４１までの階層にある各識別コード４１が、各オブジェクト２０としての各ＭＰＥＧ静止画像に対応するテキスト情報の属性を記述していることを示すものであり、対応する個別テキストを有さない識別コード４１である。
【０１０６】
更に、値「０５ｈ」を有する識別コード４１は、その値「０５ｈ」を有する識別コード４１以後、次の「０５ｈ」の値を有する識別コード４１までの階層にある各識別コード４１が、各セルとしての各ＭＰＥＧ静止画像に対応するテキスト情報の属性を記述していることを示すものであり、対応する個別テキストを有さない識別コード４１である。
【０１０７】
次に、値「３０ｈ」を有する識別コード４１は、対応する個別テキストを有する識別コード４１であり、その個別テキストの内容がタイトル又はオブジェクト等の名称であることを示すものである。
【０１０８】
そして最後に、値「ＥＦｈ」を有する識別コード４１は、対応する個別テキストを有する識別コード４１であり、その個別テキストの内容が、その識別コード４１が対応するＭＰＥＧ静止画像に対応するＪＰＥＧ画像５１を識別するための内容であることを示すものである。
【０１０９】
次に、実施形態の具体的な階層構造について説明する。
【０１１０】
始めに、図３に示すように、階層構造の最上部には、値「０１ｈ」を有する識別コード４１（例えば、図１における第１識別コード４１−１に相当）が配置されている。このとき、当該識別コード４１は、その識別コード４１以後、次の「０１ｈ」の値を有する識別コード４１までの階層にある各識別コード４１が、実施形態のボリュームに含まれている各ＭＰＥＧ静止画像に対応する各テキスト情報の属性を記述していることを示している。
【０１１１】
次に、上記「０１ｈ」の値を有する識別コード４１の直下には、値「０２ｈ」を有する識別コード４１（例えば、図１における第２識別コード４１−２に相当）が配置されている。このとき、当該識別コード４１は、その識別コード４１以後、次の「０２ｈ」の値を有する識別コード４１までの階層にある各識別コード４１が、第１タイトルに含まれている１０枚のＭＰＥＧ静止画像に対応するテキスト情報の属性を記述していることを示している。
【０１１２】
更に、上記「０２ｈ」の値を有する識別コード４１の直下には、値「３０ｈ」を有する識別コード４１が配置されている。このとき、当該識別コード４１は、当該識別コード４１が含まれているテキストサーチポインタＴＳＰに含まれているスタートアドレス４２により示されるＤＶＤ１上の（個別テキストデータＩＴＤ内の）記録位置に、第１タイトルの名称（例えば、図３に示すように「Ａｂ年ｃｄ月ｅｆ日写真集」の如き、第１タイトルとして記録されている各ＭＰＥＧ静止画像の纏まりを示す名称）を示すテキスト情報が記録されていることを示している。
【０１１３】
次に、上記「３０ｈ」の値を有する識別コード４１の直下には、値「０４ｈ」を有する識別コード４１が配置されている。このとき、当該識別コード４１は、その識別コード４１以後、次の「０４ｈ」の値を有する識別コード４１までの階層にある各識別コード４１が、第１タイトルの第１オブジェクトとしてのＭＰＥＧ静止画像に対応するテキスト情報の属性を記述していることを示している。
【０１１４】
更に、上記「０４ｈ」の値を有する識別コード４１の直下には、値「０５ｈ」を有する識別コード４１が配置されている。このとき、当該識別コード４１は、その識別コード４１以後、次の「０５ｈ」の値を有する識別コード４１までの階層にある各識別コード４１が、第１オブジェクト（＝第１セル）としてのＭＰＥＧ静止画像に対応するテキスト情報の属性を記述していることを示している。
【０１１５】
そして、上記「０５ｈ」の値を有する識別コード４１の直下には、値「ＥＦｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、直上にある値「０５ｈ」を有する識別コード４１に対応する第１オブジェクトとしてのＭＰＥＧ静止画像に相当する（すなわち画像としての内容が同一の）ＪＰＥＧ画像５１の名称（例えば、図３に示すように「第１静止画像群第１静止画像」の如き、第１タイトルの第１オブジェクトとして記録されている一のＭＰＥＧ静止画像に相当するＪＰＥＧ画像５１の名称）を示すテキスト情報が記録されていることを示している。
【０１１６】
次に、上記「ＥＦｈ」の値を有する識別コード４１の直下には、値「０４ｈ」を有する識別コード４１が再び配置されている。このとき、当該識別コード４１は、その識別コード４１以後、次の「０４ｈ」の値を有する識別コード４１までの階層にある各識別コード４１が、第１タイトルの第２オブジェクトとしてのＭＰＥＧ静止画像に対応するテキスト情報の属性を記述していることを示している。
【０１１７】
更に、上記「０４ｈ」の値を有する識別コード４１の直下には、値「０５ｈ」を有する識別コード４１が配置されている。このとき、当該識別コード４１は、その識別コード４１以後、次の「０５ｈ」の値を有する識別コード４１までの階層にある各識別コード４１が、第２オブジェクト（＝第１セル）としてのＭＰＥＧ静止画像に対応するテキスト情報の属性を記述していることを示している。
【０１１８】
そして、上記「０５ｈ」の値を有する識別コード４１の直下には、値「ＥＦｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、直上にある値「０５ｈ」を有する識別コード４１に対応する第２オブジェクトとしてのＭＰＥＧ静止画像に相当するＪＰＥＧ画像５１の名称（例えば、図３に示すように「第１静止画像群第２静止画像」の如き、第１タイトルの第２オブジェクトとして記録されている一のＭＰＥＧ静止画像に相当するＪＰＥＧ画像５１の名称）を示すテキスト情報が記録されていることを示している。
【０１１９】
更に、上記「ＥＦｈ」の値を有する識別コード４１の直下には、値「０４ｈ」を有する識別コード４１が再び配置されている。このとき、当該識別コード４１は、その識別コード４１以後、次の「０４ｈ」の値を有する識別コード４１までの階層にある各識別コード４１が、第１タイトルの第３オブジェクトとしてのＭＰＥＧ静止画像に対応するテキスト情報の属性を記述していることを示している。
【０１２０】
更に、上記「０４ｈ」の値を有する識別コード４１の直下には、値「０５ｈ」を有する識別コード４１が配置されている。このとき、当該識別コード４１は、その識別コード４１以後、次の「０５ｈ」の値を有する識別コード４１までの階層にある各識別コード４１が、第３オブジェクト（＝第１セル）としてのＭＰＥＧ静止画像に対応するテキスト情報の属性を記述していることを示している。
【０１２１】
そして、上記「０５ｈ」の値を有する識別コード４１の直下には、値「ＥＦｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、直上にある値「０５ｈ」を有する識別コード４１に対応する第３オブジェクトとしてのＭＰＥＧ静止画像に相当するＪＰＥＧ画像５１の名称（例えば、図３に示すように「第１静止画像群第３静止画像」の如き、第１タイトルの第２オブジェクトとして記録されている一のＭＰＥＧ静止画像に相当するＪＰＥＧ画像５１の名称）を示すテキスト情報が記録されていることを示している。
【０１２２】
以下、上述した第１オブジェクト乃至第３オブジェクトと同様にして、順次残る第４オブジェクト乃至第９オブジェクトとして夫々記録されている各ＭＰＥＧ静止画像に相当するＪＰＥＧ画像５１の名称が階層的に記述される。
【０１２３】
そして、第９オブジェクトに相当するＪＰＥＧ画像５１の名称に関する記述までが為されている階層の直下には、第１タイトル内の第１０オブジェクト（第１タイトル内の１０枚目のＭＰＥＧ静止画像）に対応するものとして、次に、値「０４ｈ」を有する識別コード４１が再び配置されている。このとき、当該識別コード４１は、その識別コード４１以後、次の「０２ｈ」の値を有する識別コード４１までの階層にある各識別コード４１が、第１タイトルの第１０オブジェクトとしてのＭＰＥＧ静止画像に対応するテキスト情報の属性を記述していることを示している。
【０１２４】
更に、上記「０４ｈ」の値を有する識別コード４１の直下には、値「０５ｈ」を有する識別コード４１が配置されている。このとき、当該識別コード４１は、その識別コード４１以後、次の「０２ｈ」の値を有する識別コード４１までの階層にある各識別コード４１が、第１０オブジェクト（＝第１セル）としてのＭＰＥＧ静止画像に対応するテキスト情報の属性を記述していることを示している。
【０１２５】
そして、上述してきた一連のテキスト情報の記述により第１タイトルとして記録されている１０枚のＭＰＥＧ静止画像に対応するテキスト情報の記述が完了すると、次に、当該第１タイトルに続いてビデオゾーンＶＺ内に記録されている第２タイトルを示す識別コード４１として、値「０２ｈ」を有する識別コード４１が配置されている。このとき、当該識別コード４１は、その識別コード４１以後の階層にある各識別コード４１が、第２タイトルに含まれている各ＭＰＥＧ静止画像に対応するテキスト情報の属性を記述していることを示している。
【０１２６】
更に、上記「０２ｈ」の値を有する識別コード４１の直下には、値「３０ｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、第２タイトルの名称（例えば、図４に示すように「Ｇｈ年ｉｊ月ｋｌ日写真集」の如き、第２タイトルとして記録されている各ＭＰＥＧ静止画像の纏まりを示す名称）を示すテキスト情報が記録されていることを示している。
【０１２７】
次に、上記「３０ｈ」の値を有する識別コード４１の直下には、値「０４ｈ」を有する識別コード４１が配置されている。このとき、当該識別コード４１は、その識別コード４１以後、次の「０４ｈ」の値を有する識別コード４１までの階層にある各識別コード４１が、第２タイトルの第１オブジェクトとしてのＭＰＥＧ静止画像に対応するテキスト情報の属性を記述していることを示している。
【０１２８】
更に、上記「０４ｈ」の値を有する識別コード４１の直下には、値「０５ｈ」を有する識別コード４１が配置されている。このとき、当該識別コード４１は、その識別コード４１以後、次の「０５ｈ」の値を有する識別コード４１までの階層にある各識別コード４１が、第１オブジェクトとしてのＭＰＥＧ静止画像に対応するテキスト情報の属性を記述していることを示している。
【０１２９】
そして、上記「０５ｈ」の値を有する識別コード４１の直下には、値「ＥＦｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、直上にある値「０５ｈ」を有する識別コード４１に対応する第１オブジェクトとしてのＭＰＥＧ静止画像に相当するＪＰＥＧ画像５１の名称（例えば、図３に示すように「第２静止画像群第１静止画像」の如き、第２タイトルの第１オブジェクトとして記録されている一のＭＰＥＧ静止画像に相当するＪＰＥＧ画像５１の名称）を示すテキスト情報が記録されていることを示している。
【０１３０】
次に、上記「ＥＦｈ」の値を有する識別コード４１の直下には、値「０４ｈ」を有する識別コード４１が再び配置されている。このとき、当該識別コード４１は、その識別コード４１以後、次の「０４ｈ」の値を有する識別コード４１までの階層にある各識別コード４１が、第２タイトルの第２オブジェクトとしてのＭＰＥＧ静止画像に対応するテキスト情報の属性を記述していることを示している。
【０１３１】
更に、上記「０４ｈ」の値を有する識別コード４１の直下には、値「０５ｈ」を有する識別コード４１が配置されている。このとき、当該識別コード４１は、その識別コード４１以後、次の「０５ｈ」の値を有する識別コード４１までの階層にある各識別コード４１が、第２オブジェクトとしてのＭＰＥＧ静止画像に対応するテキスト情報の属性を記述していることを示している。
【０１３２】
そして、上記「０５ｈ」の値を有する識別コード４１の直下には、値「ＥＦｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、直上にある値「０５ｈ」を有する識別コード４１に対応する第２オブジェクトとしてのＭＰＥＧ静止画像に相当するＪＰＥＧ画像５１の名称（例えば、図３に示すように「第２静止画像群第２静止画像」の如き、第２タイトルの第２オブジェクトとして記録されている一のＭＰＥＧ静止画像に相当するＪＰＥＧ画像５１の名称）を示すテキスト情報が記録されていることを示している。
【０１３３】
更に、上記「ＥＦｈ」の値を有する識別コード４１の直下には、値「０４ｈ」を有する識別コード４１が再び配置されている。このとき、当該識別コード４１は、その識別コード４１以後、次の「０４ｈ」の値を有する識別コード４１までの階層にある各識別コード４１が、第２タイトルの第３オブジェクトとしてのＭＰＥＧ静止画像に対応するテキスト情報の属性を記述していることを示している。
【０１３４】
更に、上記「０４ｈ」の値を有する識別コード４１の直下には、値「０５ｈ」を有する識別コード４１が配置されている。このとき、当該識別コード４１は、その識別コード４１以後、次の「０５ｈ」の値を有する識別コード４１までの階層にある各識別コード４１が、第３オブジェクトとしてのＭＰＥＧ静止画像に対応するテキスト情報の属性を記述していることを示している。
【０１３５】
そして、上記「０５ｈ」の値を有する識別コード４１の直下には、値「ＥＦｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、直上にある値「０５ｈ」を有する識別コード４１に対応する第３オブジェクトとしてのＭＰＥＧ静止画像に相当するＪＰＥＧ画像５１の名称（例えば、図３に示すように「第２静止画像群第３静止画像」の如き、第１タイトルの第２オブジェクトとして記録されている一のＭＰＥＧ静止画像に相当するＪＰＥＧ画像５１の名称）を示すテキスト情報が記録されていることを示している。
【０１３６】
以下、上述した第１オブジェクト乃至第３オブジェクトと同様にして、順次残る第４オブジェクト乃至第６オブジェクトとして夫々記録されている３枚のＭＰＥＧ静止画像に相当するＪＰＥＧ画像５１の名称が階層的に記述される。
【０１３７】
そして、第６オブジェクトに相当するＪＰＥＧ画像５１の名称に関する記述までが為されている階層の直下には、第２タイトル内の第７オブジェクト（第２タイトル内の７枚目のＭＰＥＧ静止画像）に対応するものとして、次に、値「０４ｈ」を有する識別コード４１が再び配置されている。このとき、当該識別コード４１は、その識別コード４１以後の階層にある各識別コード４１が、第２タイトルの第７オブジェクトとしてのＭＰＥＧ静止画像に対応するテキスト情報の属性を記述していることを示している。
【０１３８】
更に、上記「０４ｈ」の値を有する識別コード４１の直下には、値「０５ｈ」を有する識別コード４１が配置されている。このとき、当該識別コード４１は、その識別コード４１以後の階層にある各識別コード４１が、第７オブジェクトとしてのＭＰＥＧ静止画像に対応するテキスト情報の属性を記述していることを示している。
【０１３９】
そして、上記「０５ｈ」の値を有する識別コード４１の直下には、値「ＥＦｈ」を有する識別コード４１が配置されている。このとき、当該識別コード４１は、当該識別コード４１が含まれているテキストサーチポインタＴＳＰに含まれているスタートアドレス４２により示されるＤＶＤ１上の記録位置に、直上にある値「０５ｈ」を有する識別コード４１に対応する第７オブジェクトとしてのＭＰＥＧ静止画像に相当するＪＰＥＧ画像５１の名称（例えば、図４に示すように「第２静止画像群第７静止画像」の如き、第２タイトルの第７オブジェクトとして記録されている一のＭＰＥＧ静止画像に相当するＪＰＥＧ画像５１の名称）を示すテキスト情報が記録されていることを示している。
【０１４０】
（II）情報記録再生装置の実施形態
次に、上述してきた記録フォーマットに則ってＭＰＥＧ静止画像及び対応するＪＰＥＧ画像５１をＤＶＤ１に記録すると共に、これらを必要に応じて再生することが可能な情報記録再生装置の実施形態について、図５乃至図７を用いて説明する。
【０１４１】
なお、図５は当該実施形態に係る情報記録再生装置の概要構成を示すブロック図であり、図６は当該情報記録再生装置において実行される記録処理を示すフローチャートであり、図７は当該情報記録再生装置において実行されるＪＰＥＧ画像５１の出力処理を示すフローチャートである。
【０１４２】
始めに、実施形態の情報記録再生装置の概要構成及び概要動作について、図５を用いて説明する。
【０１４３】
図５に示すように、実施形態に係る情報記録再生装置Ｓは、検出手段としてのピックアップ１２０と、変調部１２１と、フォーマッタ１２２と、ビデオエンコーダ１２３と、オーディオエンコーダ１２４と、一方法記録手段、他方法記録手段、関連情報記録手段及び出力手段としてのシステムコントローラ１２５と、メモリ１２７と、復調部１２８と、ビデオデコーダ１２９と、オーディオデコーダ１３０と、サーボＩＣ（Integrated  Circuit）１３１と、スピンドルモータ１３２と、選択手段としての操作部１３３と、マルチプレクサ１３４と、デマルチプレクサ１３５と、スイッチ１３６、１３７、１４０及び１４１と、静止画デコーダ１３８と、サイズ変換器１３９と、により構成されている。
【０１４４】
また、システムコントローラ１２５は上記したテキスト情報等を含むナビゲーション情報を生成するナビゲーション情報生成器１２６を備えている。ここで、上記ナビゲーション情報とは、ＤＶＤ１に記録された後の記録情報を再生する際の再生態様、すなわち、再生すべき記録情報の選択又は当該選択された記録情報の再生順序等を制御するために当該記録情報と共にＤＶＤ１に記録される再生制御情報であり、上記テキスト情報を含むものである。
【０１４５】
次に、各部の概要動作を説明する。
【０１４６】
（Ａ）動画像情報の記録・再生処理の実施形態
始めに、上記各静止画像以外の動画像を含む動画像情報（音声情報を含む）をＤＶＤ１上にＭＰＥＧ規格に則って記録する記録処理及び当該記録された動画像情報をＤＶＤ１から検出・再生する再生処理の概要について夫々説明する。
【０１４７】
先ず、記録処理の概要について説明する。
【０１４８】
当該記録処理においては、先ず、システムコントローラ１２５からの制御信号Ｓcsw1に基づいて上記スイッチ１４０が外部から入力されてくるビデオ情報Ｓv側に切り換えられていると共に、同じくシステムコントローラ１２５からの制御信号Ｓcsw2に基づいて上記スイッチ１４１がフォーマッタ１２２側に切り換えられている。
【０１４９】
この状態で、スピンドルモータ１３２は、サーボＩＣ１３１からのスピンドル制御信号Ｓssに基づいて、装填されているＤＶＤ１を予め設定された回転数で回転させる。
【０１５０】
一方、ＤＶＤ１のビデオゾーンＶＺに記録すべき上記ビデオ情報Ｓv（上記ＭＰＥＧ静止画像を除く）は、外部から入力された後、スイッチ１４０を介してスイッチ信号Ｓswとしてビデオエンコーダ１２３に入力される。
【０１５１】
そして、ビデオエンコーダ１２３は、システムコントローラ１２５からの制御信号Ｓcvに基づき、スイッチ信号Ｓsw（ビデオ情報Ｓv）に対して予め設定された符号化レートによる符号化処理（具体的には、例えばＭＰＥＧ方式の圧縮符号化処理）を施し、符号化ビデオ信号Ｓevを生成してマルチプレクサ１３４へ出力する。
【０１５２】
他方、ＤＶＤ１のビデオゾーンＶＺに記録すべき記録情報としてのオーディオ情報Ｓaは、外部から入力された後オーディオエンコーダ１２４に入力される。
【０１５３】
そして、オーディオエンコーダ１２４は、システムコントローラ１２５からの制御信号Ｓcaに基づき、オーディオ情報Ｓaに対して予め設定された符号化レートによる符号化処理（具体的には、例えば上記ＭＰＥＧ方式の上記ビデオ情報Ｓｖと同様の圧縮符号化処理）を施し、符号化オーディオ信号Ｓeaを生成してマルチプレクサ１３４へ出力する。
【０１５４】
そして、符号化ビデオ信号Ｓevと符号化オーディオ信号Ｓeaとの間に同期関係がある場合に、マルチプレクサ１３４は、当該符号化ビデオ信号Ｓevと符号化オーディオ信号Ｓeaとを予め設定されたタイミングで重畳し、重畳信号Ｓmxを生成してフォーマッタ１２２へ出力する。
【０１５５】
次に、フォーマッタ１２２は、システムコントローラ１２５からの制御信号Ｓcfに基づき、後述するナビゲーション情報生成器１２６からのナビゲーション情報信号Ｓndと上記重畳信号Ｓmxとを図１に示した物理フォーマットの形式となるように組み合わせ、フォーマット信号Ｓmtを生成してスイッチ１４１を介してスイッチ信号Ｓgzとして変調部１２１へ出力する。
【０１５６】
このとき、重畳信号Ｓmxとしてフォーマッタ１２２に入力される各記録情報は、ナビゲーション情報生成器１２６における上記ナビゲーション情報の生成に供されるべく、予め設定されているタイミングで記録情報信号Ｓfmとしてシステムコントローラ１２５へ出力される。
【０１５７】
そして、変調部１２１は、当該スイッチ信号Ｓgzに対して予め設定された変調処理（具体的には、例えばいわゆる８−１６変調処理）を施し、変調信号Ｓfeを生成してピックアップ１２０に出力する。
【０１５８】
これにより、ピックアップ１２０は、当該変調信号Ｓfeにより強度変調された光ビームＢを生成し、これをＤＶＤ１の図示しない情報記録面内の情報トラックに照射することで当該変調信号Ｓfeに含まれている上記ナビゲーション情報及び各記録情報に対応するピットを当該情報トラック上に形成し、当該ナビゲーション情報及び各記録情報を図１に示す物理フォーマットの形式でＤＶＤ１上に記録する。
【０１５９】
このとき、光ビームＢの集光位置と上記情報トラックとの上記情報記録面に垂直な方向及び水平な方向のずれは、サーボＩＣ１３１から出力されるピックアップサーボ信号Ｓspに基づいて当該ピックアップ１２０内の図示しない対物レンズ（光ビームＢを集光するための対物レンズ）が上記垂直な方向及び水平な方向に移動される（すなわち、いわゆるフォーカスサーボ制御及びトラッキングサーボ制御が実行される）ことにより解消される。
【０１６０】
このため、サーボＩＣ１３１は、システムコントローラ１２５からの制御信号Ｓscに基づいて、上記スピンドル制御信号Ｓss及びピックアップサーボ信号Ｓspを生成し、夫々スピンドルモータ１３２及びピックアップ１２０へ出力する。
【０１６１】
次に、上述のようにして記録した動画像情報を同時に記録したナビゲーション情報に則ってＤＶＤ１から検出・再生する再生処理の概要について説明する。
【０１６２】
先ず、当該再生時においては、システムコントローラ１２５からの制御信号Ｓcsw3に基づいて上記スイッチ１３６がデマルチプレクサ１３５側に切り換えられている。
【０１６３】
この状態で、ピックアップ１２０は、一定強度の再生用の光ビームＢを生成して上記ピットが形成されている情報トラックに照射し、その反射光に基づいて当該記録情報等に対応する検出信号Ｓppを生成し、復調部１２８へ出力する。
【０１６４】
これにより、復調部１２８は、検出信号Ｓppに対して上記変調部１２１における変調処理に対応する復調処理を施し、復調信号Ｓpdを生成してスイッチ１３６を介してデマルチプレクサデ１３５へ出力する。
【０１６５】
そして、デマルチプレクサ１３５は、復調信号Ｓpd中のビデオ情報とオーディオ情報とを分離し、当該ビデオ情報を含む分離信号Ｓdmx及び当該オーディオ情報を含む復調オーディオ信号Ｓpdaを生成してビデオデコーダ１２９へ出力する。
【０１６６】
次に、ビデオデコーダ１２９は、システムコントローラ１２５からの制御信号Ｓcdvに基づき、分離信号Ｓdmxに対して上記ビデオエンコーダ１２３における固定符号化レートの符号化処理に対応する復号処理を施し、復号ビデオ信号Ｓdvを生成して外部の図示しないモニタ等に出力する。
【０１６７】
更に、オーディオデコーダ１３０は、システムコントローラ１２５からの制御信号Ｓcdaに基づき、復調オーディオ信号Ｓpdaに対して上記オーディオエンコーダ１２４における固定符号化レートの符号化処理に対応する復号処理を施し、復号オーディオ信号Ｓdaを生成して外部の図示しないアンプ等に出力する。
【０１６８】
一方、操作部１３３は、情報記録再生装置Ｓにおける記録処理又は再生処理を実行するための操作が使用者により実行されたとき、当該操作に対応する操作信号Ｓinを生成してシステムコントローラ１２５へ出力する。
【０１６９】
更に、ナビゲーション情報生成器１２６は、操作信号Ｓin及び記録情報信号Ｓfmに基づくシステムコントローラ１２５の制御に基づいて、上記記録処理時にＤＶＤ１に記録すべき上記各ナビゲーション情報を含む上記ナビゲーション情報信号Ｓndを生成し、フォーマッタ１２２の一方の入力端子へ出力する。
【０１７０】
これにより、上記フォーマッタ１２２により重畳信号Ｓmx中の記録情報とナビゲーション情報信号Ｓnd中のナビゲーション情報とが重畳され、図１に示す物理フォーマットを有する記録情報を含む上記フォーマット信号Ｓmtが生成されることとなる。
【０１７１】
これらの動作と並行して、システムコントローラ１２５は、メモリ１２７との間でメモリ信号Ｓmとして必要な情報の授受を行いつつ、上記各動作を制御するための各制御信号Ｓcv、Ｓca、Ｓcf、Ｓsc、Ｓcdv、Ｓcda、Ｓcsw1、Ｓcsw2及びＳcsw3を生成して夫々に対応する構成部材へ出力する。
【０１７２】
（Ｂ）静止画像情報の記録処理の実施形態
次に、ＤＶＤ１に対して上記ＭＰＥＧ静止画像及び対応するＪＰＥＧ画像５１を記録する場合の記録処理及び当該記録されているＭＰＥＧ静止画像を再生する再生処理について、図６を用いて説明する。
【０１７３】
なお、以下に説明する実施形態に係るＭＰＥＧ静止画像及びＪＰＥＧ画像５１の記録に当たっては、先ずＪＰＥＧ画像５１をＤＶＤ１上の静止画像ソーンＪＺ内に記録し、次いで当該記録したＪＰＥＧ画像５１を読み出してＭＰＥＧ静止画像に変換し、その変換したＭＰＥＧ静止画像をＤＶＤ１上のビデオゾーンＶＺに記録し、最後に、当該夫々記録されたＭＰＥＧ静止画像とＪＰＥＧ画像５１とを関連付けるための上記テキスト情報を生成して図１乃至図４に示す物理フォーマットに則ってビデオゾーンＶＺ内に記録する。
【０１７４】
すなわち、当該記録処理においては、先ず、システムコントローラ１２５からの制御信号Ｓcsw2に基づいて上記スイッチ１４１が後述する静止画情報Ｓpg側に切り換えられていると共に、同じくシステムコントローラ１２５からの制御信号Ｓcsw1、Ｓcsw3及びＳcsw4に夫々基づいて上記スイッチ１４０、１３６及び１３７が夫々サイズ変換器１３９側、スイッチ１３７側及び静止画デコーダ１３８側に切り換えられている。
【０１７５】
この状態で、ＤＶＤ１上の静止画像ゾーンＪＺに記録されるべきＪＰＥＧ画像５１は、例えば当該ＪＰＥＧ画像５１を生成した図示しないデジタルスチルカメラから静止画情報Ｓpgとして生成・出力され、スイッチ１４１を介してスイッチ信号Ｓgzとして変調部１２１へ出力される。
【０１７６】
そして、変調部１２１は、当該スイッチ信号Ｓgzに対して予め設定された上記変調処理を施し、変調信号Ｓfeを生成してピックアップ１２０に出力する。
【０１７７】
これにより、ピックアップ１２０は、当該変調信号Ｓfeにより強度変調された光ビームＢを生成し、これをＤＶＤ１上の静止画像ゾーンＪＺ内の図示しない情報記録面内の情報トラックに照射することで当該変調信号Ｓfeに含まれている上記ＪＰＥＧ画像５１に対応するピットを当該情報トラック上に形成し、当該ＪＰＥＧ画像５１を図１乃至図４に示す物理フォーマットの形式でＤＶＤ１上に記録する(ステップＳ１)。
【０１７８】
そして、全てのＪＰＥＧ画像５１の記録が完了したか否かが確認され(ステップＳ２)完了していないときは(ステップＳ２；ＮＯ)再度上記ステップＳ１に戻ってＪＰＥＧ画像５１の記録処理を継続し、一方、全て完了しているときは(ステップＳ２；ＹＥＳ)、次に、当該記録したＪＰＥＧ画像５１をＭＰＥＧ静止画像に変換して記録する処理を実行する（ステップＳ３）。
【０１７９】
すなわち、ステップＳ３の記録処理を実行する場合には、始めに、システムコントローラ１２５からの制御信号Ｓcsw2に基づいて上記スイッチ１４１がフォーマッタ１２２側に切り換えられる。
【０１８０】
そして、この状態で、ピックアップ１２０及び復調部１２８を介して上記記録された各ＪＰＥＧ画像５１を全て復調信号Ｓpdとして読み出し、スイッチ１３６及び１３７を介して静止画デコーダ１３８に出力する。
【０１８１】
次に、当該静止画デコーダ１３８において復調信号Ｓpd中のＪＰＥＧ画像５１を元の静止画像に復元（デコード）し、静止画変換信号Ｓjpを生成してサイズ変換器１３９に出力する。
【０１８２】
そして、当該サイズ変換器１３９は、静止画変換信号Ｓjpにおけるいわゆる画角をＭＰＥＧ規格に則った画角に変換し、画角変換信号Ｓjpgを生成してスイッチ１４０を介してスイッチ信号Ｓswとしてビデオエンコーダ１２３に出力する。
【０１８３】
そして、これ以降は、上記動画像情報の記録処理と同様のビデオエンコーダ１２３、変調部１２１及びピックアップ１２０の機能発揮により、変換されたＭＰＥＧ静止画像をビデオゾーンＶＺ内にＭＰＥＧ規格に則って記録する。
【０１８４】
そして、全てのＭＰＥＧ静止画像の記録が完了したか否かが確認され(ステップＳ４)完了していないときは(ステップＳ４；ＮＯ)再度上記ステップＳ３に戻ってＭＰＥＧ画像への変換・記録処理を継続し、一方、全て完了しているときは(ステップＳ４；ＹＥＳ)、次に、当該記録したＭＰＥＧ画像を再生する際に用いられるナビゲーション情報をナビゲーション情報生成器１２６において別途生成してビデオゾーンＶＺ内に図１に示す物理フォーマットに則って記録し（ステップＳ５）、記録が完了している上記ＭＰＥＧ静止画像とＪＰＥＧ画像５１との関連（対応関係）を示す図２乃至図４に例示する態様のテキスト情報を生成して記録する（ステップＳ６）。そして最後に、記録が完了したＭＰＥＧ静止画像及びＪＰＥＧ画像５１を階層的に管理するためのいわゆるファイルシステム情報をシステムコントローラ１２５において生成して記録し（ステップＳ７）、実施形態に係る各静止画像の記録処理を完了する。
【０１８５】
なお、当該ファイルシステム情報には、上述したようにして記録された各ＪＰＥＧ画像５１毎に、その属性（より具体的にはそれが属する静止画像群５０の番号と、その属する静止画像群５０内におけるそのＪＰＥＧ画像５１の番号と、により構成されている属性）と、そのＪＰＥＧ画像５１が記録されている静止画像ゾーンＪＺ内の記録位置と、の対応関係を示す情報が含まれている。
【０１８６】
また、当該記録されたＭＰＥＧ静止画像を再生する場合には、上述した動画像情報を再生する場合の処理と同様の処理により再生され外部のテレビジョン装置等に出力されることとなる。
【０１８７】
（Ｃ）静止画像情報の再生・出力処理の実施形態
次に、上述の記録処理にＤＶＤ１に記録されたＭＰＥＧ静止画像を再生中においてその再生されているＭＰＥＧ静止画像に相当するＪＰＥＧ画像５１を検出し、図示しない外部のプリンタにおいて印刷出力する場合の処理について、図７を用いて説明する。
【０１８８】
当該印刷出力処理を実行する場合には、その前提として、スイッチ１３７の静止画デコーダ１３８側でない出力端子に上記図示しないプリンタが接続されているものとし、更に当該スイッチ１３７は、システムコントローラ１２５からの制御信号Ｓcsw4に基づいて上記プリンタ側に切り換えられており、更にまた、スイッチ１３６が、システムコントローラ１２５からの制御信号Ｓcsw3に基づいてスイッチ１３７側に切り換えられている。
【０１８９】
この状態で、操作部１３３において現在出力されているＭＰＥＧ静止画像に相当するＪＰＥＧ画像５１を印刷出力する旨の操作が為されたか否かが確認され（ステップＳ１０）、当該操作が為されていないときは（ステップＳ１０；ＮＯ）そのまま為されるまで待機し、一方、当該操作が為されたときは（ステップＳ１０；ＹＥＳ）、当該操作に対応する操作信号Ｓinに基づいて、指定されたＭＰＥＧ静止画像に対応するオブジェクト２０の番号が検出され（ステップＳ１１）、更に当該検出されたオブジェクト番号に対応するＪＰＥＧ画像５１の番号を図３及び図４に例示するテキスト情報内から検索し（ステップＳ１２）、その検索された番号を有するＪＰＥＧ画像５１の記録位置を、上記ファイルシステム情報を用いて（実際には静止画像ゾーンＪＺ内を）検索して取得し（ステップＳ１３）、その取得した記録位置に記録されているＪＰＥＧ画像５１をピックアップ１２０、復調部１２８、スイッチ１３６及びスイッチ１３７を介して復調信号Ｓpdとして図示しない上記プリンタに出力する。そして、当該プリンタにおいて出力されてきた復調信号Ｓpdに含まれているＪＰＥＧ画像５１が印刷出力されることとなる（ステップＳ１４）。
【０１９０】
以上説明したように、実施形態の情報記録再生装置Ｓの動作によれば、ＪＰＥＧ規格とＭＰＥＧ規格の双方を用いて夫々に内容が同じ静止画像が記録されるので、所望されるいずれの出力方法を用いても同じ内容の静止画像を外部に出力することができる。
【０１９１】
また、対応関係にあるＭＰＥＧ静止画像とＪＰＥＧ画像５１とを相互に関連付けるためのテキスト情報が共にＤＶＤ１に記録されるので、例えばＭＰＥＧ静止画像をテレビジョン装置において表示中に当該表示中であるＭＰＥＧ静止画像に対応するＪＰＥＧ画像５１を印刷出力する場合において、必要なＪＰＥＧ画像５１を迅速に検出することができる。
【０１９２】
更に、上記テキスト情報において夫々の静止画像における階層構造同士が関連付けられているので、同じ内容の静止画像に対応するＭＰＥＧ静止画像とＪＰＥＧ画像５１とを容易に検索することができる。
【０１９３】
なお、上述した実施形態においては、表示中のＭＰＥＧ静止画像に対応するＪＰＥＧ画像５１を検索して印刷出力する構成としたが、これ以外に、外部に出力中のＪＰＥＧ画像５１に対応するＭＰＥＧ静止画像を上記テキスト情報を手掛かりとして実施形態（図７）の場合と逆の順序で検索し、その検索したＭＰＥＧ静止画像をテレビジョン装置等に表示させることももちろん可能である。
【０１９４】
また、上記図６及び図７に示すフローチャートに対応するプログラムをフレキシブルディスク又はハードディスク等の記録媒体に記録しておき、或いはインターネット等のネットワークを用いて配信しておき、これをマイクロコンピュータ等により読み出して実行することにより、当該マイクロコンピュータ等を上記システムコントローラ１２５として機能させるように構成することも可能である。
【０１９５】
【発明の効果】
以上説明したように、請求項１に記載の発明によれば、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。さらに、選択された一方法画像情報又は他方法画像情報のいずれか一方に対応するいずれか他方が関連情報に基づいて検出されて外部に出力されるので、例えば一方法画像情報に対応する画像を外部に出力中に当該出力中である画像に対応する他方法画像情報を外部に出力する場合等において、必要な他方法画像情報を迅速に検出して外部に出力することができる。
【０１９６】
従って、異なる方法により同じ内容の画像情報を外部に出力することができるので、結果として当該画像情報の取り扱いにおける汎用性を向上させることができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。さらに、相互に異なる出力方法により同じ内容の画像情報を外部に出力することができるので、結果として当該画像情報の外部出力における汎用性を向上させることができる。
【０１９７】
請求項２に記載の発明によれば、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。さらに、一方法画像情報がテレビジョン装置における表示用のフォーマットを用いて記録されると共に同じ内容の静止画像に対応する他方法画像情報が印刷出力用のフォーマットを用いて記録されるので、同じ内容の静止画像をテレビジョン装置において表示することと印刷出力することとを一の記録媒体を用いて両立させることができる。加えて、テレビジョン装置に表示されている静止画像のうち選択されたものに対応する他方法画像情報を関連情報に基づいて検出して出力するので、テレビジョン装置において表示中の静止画像を別途印刷出力することができる。
【０１９８】
従って、異なる方法により同じ内容の画像情報を外部に出力することができるので、結果として当該画像情報の取り扱いにおける汎用性を向上させることができる。また、テレビジョン装置における表示及び印刷出力の二つの方法により同じ内容の画像情報を外部に出力することができるので、結果として当該画像情報の外部出力における汎用性を向上させることができる。
【０１９９】
請求項３に記載の発明によれば、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。さらに、選択された一方法画像情報又は他方法画像情報のいずれか一方に対応するいずれか他方が関連情報に基づいて検出されて外部に出力されるので、例えば一方法画像情報に対応する画像を外部に出力中に当該出力中である画像に対応する他方法画像情報を外部に出力する場合等において、必要な他方法画像情報を迅速に検出して外部に出力することができる。
【０２００】
従って、異なる方法により同じ内容の画像情報を外部に出力することができるので、結果として当該画像情報の取り扱いにおける汎用性を向上させることができる。また、相互に異なる出力方法により同じ内容の画像情報を外部に出力することができるので、結果として当該画像情報の外部出力における汎用性を向上させることができる。
【０２０１】
請求項４に記載の発明によれば、一方法フォーマット及び他方法フォーマットの双方を用いて夫々に画像情報が記録されるので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるので、例えば一方法画像情報に対応する画像を外部に出力中に当該出力中である画像に対応する他方法画像情報を外部に出力する場合等において、必要な他方法画像情報を迅速に検出することができる。さらに、一方法画像情報がテレビジョン装置における表示用のフォーマットを用いて記録されると共に同じ内容の静止画像に対応する他方法画像情報が印刷出力用のフォーマットを用いて記録されるので、同じ内容の静止画像をテレビジョン装置において表示することと印刷出力することとを一の記録媒体を用いて両立させることができる。加えて、テレビジョン装置に表示されている静止画像のうち選択されたものに対応する他方法画像情報を関連情報に基づいて検出して出力するので、テレビジョン装置において表示中の静止画像を別途印刷出力することができる。
【０２０２】
従って、異なる方法により同じ内容の画像情報を外部に出力することができるので、結果として当該画像情報の取り扱いにおける汎用性を向上させることができる。また、テレビジョン装置における表示及び印刷出力の二つの方法により同じ内容の画像情報を外部に出力することができるので、結果として当該画像情報の外部出力における汎用性を向上させることができる。
【０２０３】
請求項５に記載の発明によれば、一方法フォーマット及び他方法フォーマットの双方を用いて夫々に画像情報が記録されるように記録コンピュータが機能するので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるように記録コンピュータが機能するので、例えば一方法画像情報に対応する画像を外部に出力中に当該出力中である画像に対応する他方法画像情報を外部に出力する場合等において、必要な他方法画像情報を迅速に検出することができる。さらに、選択された一方法画像情報又は他方法画像情報のいずれか一方に対応するいずれか他方が関連情報に基づいて検出されて外部に出力されるように再生コンピュータが機能するので、例えば一方法画像情報に対応する画像を外部に出力中に当該出力中である画像に対応する他方法画像情報を外部に出力する場合等において、必要な他方法画像情報を迅速に検出して外部に出力することができる。
【０２０４】
従って、異なる方法により同じ内容の画像情報を外部に出力することができるので、結果として当該画像情報の取り扱いにおける汎用性を向上させることができる。また、相互に異なる出力方法により同じ内容の画像情報を外部に出力することができるので、結果として当該画像情報の外部出力における汎用性を向上させることができる。
【０２０５】
請求項６に記載の発明によれば、一方法フォーマット及び他方法フォーマットの双方を用いて夫々に画像情報が記録されるように記録コンピュータが機能するので、所望されるいずれの出力方法を用いても同じ内容の画像情報を外部に出力することができる。また、対応関係にある一方法画像情報と他方法画像情報とを相互に関連付けるための関連情報が当該一方法画像情報及び他方法画像情報と共に記録媒体に記録されるように記録コンピュータが機能するので、例えば一方法画像情報に対応する画像を外部に出力中に当該出力中である画像に対応する他方法画像情報を外部に出力する場合等において、必要な他方法画像情報を迅速に検出することができる。さらに、一方法画像情報がテレビジョン装置における表示用のフォーマットを用いて記録されると共に同じ内容の静止画像に対応する他方法画像情報が印刷出力用のフォーマットを用いて記録されるように記録コンピュータが機能するので、同じ内容の静止画像をテレビジョン装置において表示することと印刷出力することとを一の記録媒体を用いて両立させることができる。加えて、テレビジョン装置に表示されている静止画像のうち選択されたものに対応する他方法画像情報を関連情報に基づいて検出して出力するように再生コンピュータが機能するので、テレビジョン装置において表示中の静止画像を別途印刷出力することができる。
【０２０６】
従って、異なる方法により同じ内容の画像情報を外部に出力することができるので、結果として当該画像情報の取り扱いにおける汎用性を向上させることができる。また、テレビジョン装置における表示及び印刷出力の二つの方法により同じ内容の画像情報を外部に出力することができるので、結果として当該画像情報の外部出力における汎用性を向上させることができる。
【０２０７】
請求項７に記載の発明によれば、請求項５に記載の再生制御プログラムが記録されている場合には、その再生制御プログラムを読み出して再生コンピュータにより実行することにより、選択された一方法画像情報又は他方法画像情報のいずれか一方に対応するいずれか他方が関連情報に基づいて検出されて外部に出力されるように当該再生コンピュータが機能するので、例えば一方法画像情報に対応する画像を外部に出力中に当該出力中である画像に対応する他方法画像情報を外部に出力する場合等において、必要な他方法画像情報を迅速に検出して外部に出力することができる。
【０２０８】
従って、相互に異なる出力方法により同じ内容の画像情報を外部に出力することができるので、結果として当該画像情報の外部出力における汎用性を向上させることができる。
【０２０９】
また、請求項６に記載の再生制御プログラムが記録されている場合には、その再生制御プログラムを読み出して再生コンピュータにより実行することにより、テレビジョン装置に表示されている静止画像のうち選択されたものに対応する他方法画像情報を関連情報に基づいて検出して出力するように当該再生コンピュータが機能するので、テレビジョン装置において表示中の静止画像を別途印刷出力することができる。
【０２１０】
従って、テレビジョン装置における表示及び印刷出力の二つの方法により同じ内容の画像情報を外部に出力することができるので、結果として当該画像情報の外部出力における汎用性を向上させることができる。
【図面の簡単な説明】
【図１】実施形態のＤＶＤにおける物理フォーマットを示す図である。
【図２】実施形態の識別コードの内容を説明する図である。
【図３】実施形態のテキスト情報の階層構造を示す図（Ｉ）である。
【図４】実施形態のテキスト情報の階層構造を示す図（II）である。
【図５】実施形態の情報記録装置の概要構成を示すブロック図である。
【図６】実施形態の記録処理を示すフローチャートである。
【図７】実施形態の出力処理を示すフローチャートである。
【符号の説明】
１…ＤＶＤ
１０…ビデオマネージャ
１１−１…第１ＶＴＳ
１１−２…第２ＶＴＳ
１１−ｎ…第ｎＶＴＳ
１５…ＶＭＧＩ
１６、２５…他情報
２０−１…第１オブジェクト
２０−２…第２オブジェクト
２０−ｘ…第ｘオブジェクト
２６…テキストデータマネージャ
３０…テキストマネージャ情報
３１−１…第１言語ユニットサーチポインタ
３１−２…第２言語ユニットサーチポインタ
３１−ｙ…第ｙ言語ユニットサーチポインタ
３２−１…第１言語ユニット
３２−２…第２言語ユニット
３２−ｙ…第ｙ言語ユニット
３５…言語ユニット情報
３６…ボリュームテキストサーチポインタサーチポインタ
３７−１…第１テキストサーチポインタサーチポインタ
３７−ｚ…第ｚテキストサーチポインタサーチポインタ
４０…テキストデータ情報
４１−１…第１識別コード
４１−２…第２識別コード
４１−ｗ…第ｗ識別コード
４２−１…第１スタートアドレス
４２−２…第２スタートアドレス
４２−ｗ…第ｗスタートアドレス
５０−１…第１静止画像群
５０−２…第２静止画像群
５０−ｍ…第ｍ静止画像群
５１−１…第１ＪＰＥＧ画像
５１−２…第２ＪＰＥＧ画像
５１−ｌ…第ｌＪＰＥＧ画像
１２０…ピックアップ
１２１…変調部
１２２…フォーマッタ
１２３…ビデオエンコーダ
１２４…オーディオエンコーダ
１２５…シテムコントローラ
１２６…ナビゲーション情報生成器
１２７…メモリ
１２８…復調部
１２９…ビデオデコーダ
１３０…オーディオデコーダ
１３１…サーボＩＣ
１３２…スピンドルモータ
１３３…操作部
１３４…マルチプレクサ
１３５…デマルチプレクサ
１３６、１３７、１４０、１４１…スイッチ
１３８…静止画デコーダ
１３９…サイズ変換器
Ｓ…情報記録再生装置
ＬＩ…リードインエリア
ＤＡ…データエリア
ＬＯ…リードアウトエリア
ＶＺ…ビデオゾーン
ＪＺ…静止画像ゾーン
ＴＤ…テキストデータ
ＴＳＰ−１…第１サーチポインタ
ＴＳＰ−２…第２サーチポインタ
ＴＳＰ−ｗ…第ｗサーチポインタ
ＩＴＤ…個別テキストデータ
Ｓss…スピンドル制御信号
Ｓv…ビデオ情報
Ｓcv、Ｓca、Ｓcf、Ｓcdv、Ｓcda、Ｓcsw1、Ｓcsw2、Ｓcsw3、Ｓcsw4…制御信号
Ｓgz、Ｓsw…スイッチ信号
Ｓjp…静止画変換信号
Ｓjpg…画角変換信号
Ｓev…符号化ビデオ信号
Ｓa…オーディオ情報
Ｓea…符号化オーディオ信号
Ｓmx…重畳信号
Ｓnd…ナビゲーション情報信号
Ｓmt…フォーマット信号
Ｓfm…記録情報信号
Ｓfe…変調信号
Ｓsp…ピックアップサーボ信号
Ｓpp…検出信号
Ｓpd…復調信号
Ｓdmx…分離信号
Ｓpda…復調オーディオ信号
Ｓdv…復号ビデオ信号
Ｓda…復号オーディオ信号
Ｓin…操作信号
Ｓpg…静止画情報
【図１】
0004068333.tif 000002
【図２】
0004068333.tif 000003
【図３】
0004068333.tif 000004
【図４】
0004068333.tif 000005
【図５】
0004068333.tif 000006
【図６】
0004068333.tif 000007
【図７】
0004068333.tif 000008